(57)【要約】【課題】完全プレカットの部材を用いてセンター柱及び踏板を含む階段施工を同時に行うことが可能な、廻り階段の施工方法及び廻り階段の施工用セットを提供する。【解決手段】建築物にセンター柱２０を立設し、センター柱２０に廻り階段の踏板１０を接合する廻り階段の施工方法であって、センター柱２０の立設前に建築物の構造材を施工し、予め踏板１０の一端側の接合溝を形成してなるセンター柱２０を立設し、予め形状加工してなる踏板１０の一端側をセンター柱２０に接合する。また、予め踏板１０の他端側の接合溝を形成してなる側板３０，４０，５０に、予め形状加工してなる踏板１０の他端側を接合する。【選択図】図１
2020147946.tif 000002
【特許請求の範囲】
【請求項１】
建築物にセンター柱を立設し、前記センター柱に廻り階段の踏板を接合する廻り階段の施工方法であって、
前記センター柱の立設前に前記建築物の構造材を施工し、
予め前記踏板の一端側の接合溝を形成してなるセンター柱を立設し、
予め形状加工してなる前記踏板の一端側を前記センター柱に接合することを特徴とする廻り階段の施工方法。
【請求項２】
予め前記踏板の他端側の接合溝を形成してなる側板に、予め形状加工してなる前記踏板の他端側を接合することを特徴とする請求項１に記載の廻り階段の施工方法。
【請求項３】
建築物にセンター柱を立設し、前記センター柱に廻り階段の踏板を接合する廻り階段の施工用セットであって、
予め形状加工されてなる踏板と、予め前記踏板の一端側の接合溝を形成してなる前記建築物の造作材であるセンター柱とからなることを特徴とする廻り階段の施工用セット。
【請求項４】
建築物にセンター柱を立設し、前記センター柱に廻り階段の踏板を接合する廻り階段の施工用セットであって、
予め形状加工されてなる踏板と、予め前記踏板の一端側の接合溝を形成してなる前記建築物の造作材であるセンター柱と、予め前記踏板の他端側の接合溝を形成してなる側板とからなることを特徴とする廻り階段の施工用セット。
【発明の詳細な説明】
【技術分野】
【０００１】
本発明は、廻り階段の施工方法及び廻り階段の施工用セットに関するものである。
【背景技術】
【０００２】
廻り階段は、階段の途中で進行方向を徐々に変化させるようにしたものである。廻り階段の施工にあたっては、まず進行方向の変化の中心となる内側のコーナー部にセンター柱を立設し、下側の踏板から上側の踏板に向けて徐々に回転するようにセンター柱に対して踏板を接合するようになっている。センター柱と踏板との接合は、センター柱に形成された溝に踏板を嵌め込むことにより行われる。
【０００３】
建築物の構築過程において、まずは、建築物を構成する部材のうち建物を支える骨組みとなる構造材の施工が必要である。そして、従来、廻り階段のセンター柱は、構造材と同時期に施工されており、センター柱を立設した段階では、踏板接合用の溝は形成されていなかった。そして、階段施工までに行う他の施工のための数日〜数週間の空白期間を経て、立設状態のセンター柱に踏板接合用の溝を手作業で加工し、加工した溝に踏板を接合して施工するようにしていた。
【０００４】
一方、特許文献１には、踏板用の溝の位置に予め切り欠きを設けた側板を用意し、この側板を回り部分の中心となる柱の表面に固定することにより、柱の周囲面に溝を設けた状態にするようにした回り階段の付設方法に関する発明が記載されている。
【０００５】
また、特許文献２には、側面に左廻り右廻りのどちらでも掛止め可能なように、各段の踏板掛止め用凹部が対称に形成された中心柱を使用する廻り階段架構法に関する発明が記載されている。
【０００６】
また、特許文献３には、廻り階段の内側に配置する廻り階段用縦ささら材に関する発明が記載されている。
【先行技術文献】
【特許文献】
【０００７】
【特許文献１】特開平９−２７９７９７号公報
【特許文献２】特公昭５８−３７４６８号公報
【特許文献３】特開２０１５−２０９６９３号公報
【発明の概要】
【発明が解決しようとする課題】
【０００８】
しかしながら、施工現場で立設状態のセンター柱に踏板接合用の溝を手作業で加工する方法は、時間が掛かり精度も悪い。
【０００９】
一方、特許文献１に記載された回り階段の付設方法によれば、センター柱に直接溝加工をする必要がないため、施工現場での作業負担は軽減されるが、専用の側板を別部材として用意する必要があるためコストアップにつながる。
【００１０】
また、特許文献２に記載された廻り階段架構法によれば、各段の踏板掛止め用凹部が対称に形成された中心柱を事前に用意しておけば、施工現場での作業負担は軽減されるが、中心柱の施工時期が不明確である。そのため、中心柱を構造材と同時に施工してしまうと、階段施工までに数日〜数週間の空白期間が生じるため、現場保管での損傷の恐れを考慮すると、中心柱とは別に踏板を搬入せざるを得ず、分割搬入となって輸送コストアップにつながる。
【００１１】
また、特許文献３に記載された廻り階段の内側に配置する廻り階段用縦ささら材を事前に用意しておけば、施工現場での作業負担は軽減されるが、専用のささら材を別部材として用意する必要があるためコストアップにつながる。
【００１２】
本発明は、上記従来の課題を解決するものであり、完全プレカットの部材を用いてセンター柱及び踏板を含む階段施工を同時に行うことが可能な、廻り階段の施工方法及び廻り階段の施工用セットを提供するものである。
【課題を解決するための手段】
【００１３】
上記課題を解決するため、本発明の廻り階段の施工方法は、建築物にセンター柱を立設し、前記センター柱に廻り階段の踏板を接合する廻り階段の施工方法であって、前記センター柱の立設前に前記建築物の構造材を施工し、予め前記踏板の一端側の接合溝を形成してなるセンター柱を立設し、予め形状加工してなる前記踏板の一端側を前記センター柱に接合することを特徴とする。
【００１４】
また好ましくは、予め前記踏板の他端側の接合溝を形成してなる側板に、予め形状加工してなる前記踏板の他端側を接合することを特徴とする。
【００１５】
また、本発明の廻り階段の施工用セットは、建築物にセンター柱を立設し、前記センター柱に廻り階段の踏板を接合する廻り階段の施工用セットであって、予め形状加工されてなる踏板と、予め前記踏板の一端側の接合溝を形成してなる前記建築物の造作材であるセンター柱とからなることを特徴とする。
【００１６】
また、本発明の廻り階段の施工用セットは、建築物にセンター柱を立設し、前記センター柱に廻り階段の踏板を接合する廻り階段の施工用セットであって、予め形状加工されてなる踏板と、予め前記踏板の一端側の接合溝を形成してなる前記建築物の造作材であるセンター柱と、予め前記踏板の他端側の接合溝を形成してなる側板とからなることを特徴とする。
【００１７】
なお、「構造材」とは、建築物を構成する部材のうち建物を支える骨組みとなるものをいう。また、「造作材」とは、建築物を構成する部材のうち「構造材」ではないものをいう。
【発明の効果】
【００１８】
本発明の廻り階段の施工方法は、建築物にセンター柱を立設し、センター柱に廻り階段の踏板を接合する廻り階段の施工方法であり、まずセンター柱の立設前に建築物の構造材を施工する。そして次に、予め踏板の一端側の接合溝を形成してなるセンター柱を立設し、予め形状加工してなる踏板の一端側をセンター柱に接合する。センター柱の施工は、構造材の施工と同時ではなく構造材の施工後に行うので、構造材施工からある程度時期を空けて、センター柱及び踏板の施工を含む階段施工や現場への部材搬入をまとめて行うことができ効率的である。また、センター柱には予め踏板の一端側の接合溝が形成されており、踏板も予め形状加工されているので、完全プレカット部材として工場等で加工したものを搬入すれば、施工現場での作業負担が軽減されるとともに、専用の別部材として用意する必要もない。
【００１９】
また、予め踏板の他端側の接合溝を形成してなる側板に、予め形状加工してなる踏板の他端側を接合するようにした場合には、側板も含めて階段施工や現場への部材搬入をまとめて行うことができ効率的である。また、側板も含めて完全プレカット部材として工場等で加工したものを搬入すれば、施工現場での作業負担が軽減されるとともに、専用の別部材として用意する必要もない。
【００２０】
また、本発明の廻り階段の施工用セットは、建築物にセンター柱を立設し、センター柱に廻り階段の踏板を接合する廻り階段の施工用セットであり、予め形状加工されてなる踏板と、予め踏板の一端側の接合溝を形成してなる建築物の造作材であるセンター柱とから構成されている。センター柱は構造材ではなく造作材であるため、構造材の施工と同時ではなく構造材の施工後に施工することができるので、構造材施工からある程度時期を空けて、センター柱及び踏板の施工を含む階段施工や現場への部材搬入をまとめて行うことができ効率的である。また、センター柱には予め踏板の一端側の接合溝が形成されており、踏板も予め形状加工されているので、完全プレカット部材として工場等で加工したものを搬入すれば、施工現場での作業負担が軽減されるとともに、専用の別部材として用意する必要もない。
【００２１】
また、本発明の廻り階段の施工用セットは、建築物にセンター柱を立設し、センター柱に廻り階段の踏板を接合する廻り階段の施工用セットであり、予め形状加工されてなる踏板と、予め踏板の一端側の接合溝を形成してなる建築物の造作材であるセンター柱と、予め踏板の他端側の接合溝を形成してなる側板とから構成されている。センター柱は構造材ではなく造作材であるため、構造材の施工と同時ではなく構造材の施工後に施工することができるので、構造材施工からある程度時期を空けて、センター柱、踏板及び側板の施工を含む階段施工や現場への部材搬入をまとめて行うことができ効率的である。また、センター柱には予め踏板の一端側の接合溝が形成されており、踏板及び側板も予め形状加工されているので、完全プレカット部材として工場等で加工したものを搬入すれば、施工現場での作業負担が軽減されるとともに、専用の別部材として用意する必要もない。
【００２２】
このように、本発明によれば、完全プレカットの部材を用いてセンター柱及び踏板を含む階段施工を同時に行うことが可能な、廻り階段の施工方法及び廻り階段の施工用セットを提供することができる。
【図面の簡単な説明】
【００２３】
【図１】本発明の実施形態に係る（Ａ）廻り階段を示す平面図、（Ｂ）踏板を示す平面図である。
【図２】センター柱を示す斜視図である。
【図３】側板を倒した状態で示す平面図である。
【図４】センター柱の施工方法を示す図である。
【図５】センター柱の施工方法を示す図である。
【図６】センター柱と床材との接合部分を示す図である。
【発明を実施するための形態】
【００２４】
次に、図１乃至図６を参照して、本発明の実施形態に係る廻り階段の施工方法及び廻り階段の施工用セットについて説明する。まず、廻り階段の施工用セットについて説明する。廻り階段の施工用セットは、踏板、センター柱及び側板から構成されている。
【００２５】
図１（Ａ）は、本実施形態に係る廻り階段１００を示す平面図である。廻り階段１００は、構造材である複数の柱１及び柱間に設けられた複数の壁２に囲まれた空間内に施工されており、６枚の踏板１０（１１〜１６）、センター柱２０、３枚の側板３０，４０，５０から構成されている。なお、踏板及び側板の数は特に限定されず、廻り階段における変化の角度も１８０度以外にも９０度など特に限定されない。
【００２６】
廻り階段１００は、踏板１１の側から踏板１６の側に向けて、進行方向を右廻りに徐々に変化させながら上昇している。すなわち、踏板１１側が下層階側であり、踏板１６側が上層階側である。なお、図１（Ａ）は廻り階段１００の部分のみを表示したものであり、踏板１１より下側の部分と、踏板１６より上側の部分は省略している。また、各踏板の下段側には蹴込板が取り付けられている。
【００２７】
図１（Ｂ）は、踏板１０（１１〜１６）を示す平面図である。踏板１０は、各々の配置位置に応じて形状加工された多角形の板材である。各踏板の一端側（１１ａ，１２ａ，１３ａ，１４ａ，１５ａ，１６ａ）は、センター柱２０に接合されるようになっている。また各踏板の他端側（１１ｂ，１２ｂ，１３ｂ，１４ｂ，１５ｂ，１６ｂ）は、側板３０，４０，５０に接合されるようになっている。
【００２８】
図２は、センター柱２０を示す斜視図である。センター柱２０は建築物の構造材ではなく造作材である。センター柱２０には、踏板１０の一端側を接合するための踏板用接合溝２１，２２，２３，２４，２５，２６が形成されている。このうち、センター柱２０の１つの側面には接合溝２１，２２が、その左隣の側面には合溝２３，２４，２５が、さらに左隣の側面には接合溝２６が、廻り階段の蹴上げ高さ分だけ上昇するように形成されている。各接合溝は、センター柱２０の側面に対して同一幅・同一深さの溝を水平方向に端から端まで切り欠くように形成されており、柱の左右側面に達するようになっている。このような溝加工は極めて容易である。
【００２９】
図２（Ａ）に示すセンター柱２０は、後述するように上部側面を梁に取り付ける場合（柱勝ち）に使用するものであり、上端部側面に取付用金具を差し込むためのスリット２７が形成されており、底面に取付用金具を差し込むためのスリット２８が形成されている。
【００３０】
図２（Ｂ）に示すセンター柱２０は、後述するように上面を梁に取り付ける場合（梁勝ち）に使用するものであり、上面に取付用金具を差し込むためのスリット２９が形成されており、底面に取付用金具を差し込むためのスリット２８が形成されている。
【００３１】
図３は、側板３０，４０，５０を倒した状態で示す平面図である。側板３０には、踏板１１，１２を接合するための踏板用接合溝３１と、蹴込板を接合するための蹴込板用接合溝３２が形成されている。また、側板４０には、踏板１２，１３，１４，１５を接合するための踏板用接合溝４１と、蹴込板を接合するための蹴込板用接合溝４２が形成されている。また、側板５０には、踏板１５，１６を接合するための踏板用接合溝５１と、蹴込板を接合するための蹴込板用接合溝５２が形成されている。
【００３２】
本実施形態における廻り階段の施工用セットは、踏板１０（１１〜１６）、センター柱２０及び側板３０，４０，５０から構成されている。これらの廻り階段施工用セットを構成する各部材は、廻り階段の施工前に予め形状加工がなされている。すなわち、踏板１０は各々の配置位置に応じて多角形の板材に形状加工され、センター柱２０には踏板１０の一端側の接合溝２１〜２６が形成され、側板３０，４０，５０には踏板１０の他端側の接合溝３１，４１，５１及び蹴込板用接合溝３２，４２，５２が形成されている。
【００３３】
廻り階段の施工前に予め行う形状加工は、建築物の施工現場で直前に行うことも可能であるが、施工現場に搬入する前の施工現場以外の場所、例えばプレカット工場で完全プレカット部材として加工することが好ましい。
【００３４】
次に、廻り階段の施工方法について説明する。本実施形態に係る廻り階段の施工方法は、建築物にセンター柱２０を立設し、センター柱２０に踏板１０を接合していくものであるが、センター柱２０の立設前に建築物の構造材の施工が行われた状態である点を特徴としている。すなわち、センター柱２０は構造材ではなく造作材であり、センター柱２０の立設は、構造材の施工と同時ではなく構造材の施工後に行われる。通常、廻り階段の踏板施工は、構造材の施工後に壁などの施工がある程度進んだ段階で行われるものであるため、構造材と同時にセンター柱を立設してしまうと、センター柱と踏板の施工をまとめて行うことができない。本実施形態に係る廻り階段の施工方法は、構造材施工からある程度時期を空けて、センター柱及び踏板の施工をまとめて行うものである。以下、建築物の構造材の施工が行われた後の状態からの廻り階段の施工方法について説明する。
【００３５】
構造材施工からある程度工事が進んで期間が経過し、廻り階段の施工時期になると、廻り階段の施工用セット（踏板、センター柱、側板）をまとめて搬入する。そして、まずセンター柱２０を立設する。
【００３６】
図４は、センター柱２０の上部側面を梁３に取り付ける場合（柱勝ち）の施工方法を示している。まず、板状体が上方に突出するように、取付用金具８を床面にビス等で固定する。同様に、板状体が側方に突出するように、取付用金具７を梁３の端部にビス等で固定する。そして、センター柱２０を横方向にスライドさせて、取付用金具８をスリット２８に差し込み、取付用金具７をスリット２７に差し込んで、ドリフトピンを打ち込んで固定する。
【００３７】
図５は、センター柱２０の上面を梁３に取り付ける場合（梁勝ち）の施工方法を示している。まず、板状体が上方に突出するように、取付用金具８を床面にビス等で固定する。同様に、板状体が下方に突出するように、取付用金具９を梁３の下面にビス等で固定する。そして、センター柱２０を横方向にスライドさせて、取付用金具８をスリット２８に差し込み、取付用金具９をスリット２９に差し込んで、ドリフトピンを打ち込んで固定する。
【００３８】
図６は、センター柱２０と床面との接合部分を示す図である。床面は下から大引き４、床下地材５、フローリング６の順に構成されており、センター柱２０は床下地材５の上面に接合している。従来のようにセンター柱２０を構造材と同時に施工する場合には、その段階で床下地材５の施工は行われておらず、センター柱２０は大引き４に直接立設される。これに対して本実施形態では、構造材を施工し、さらに床下地材５の施工を行った段階で、センター柱２０を立設するようになっている。
【００３９】
本実施形態では、センター柱２０は梁３と大引き４の間、すなわち上下の横架材の間に立設された状態になっている。ただし、廻り階段の設置構造によっては、センター柱２０の上部が横架材に接続されていない場合もある。また、上側の横架材として、水平ではなく斜めに配置されたものに接続される場合もある。
【００４０】
センター柱２０の立設が完了すると、踏板１０及び側板３０，４０，５０を施工する。踏板１０の一端をセンター柱２０の各接合溝に嵌め込み、他端を側板３０，４０，５０の各接合溝に嵌め込む。なお、嵌め込むだけでもよいし、釘や接着剤を使用して固定してもよい。
【００４１】
センター柱２０、踏板１０、側板３０，４０，５０の接合により、廻り階段の施工が完了する。
【００４２】
本実施形態に係る廻り階段の施工方法は、建築物にセンター柱２０を立設し、センター柱２０に廻り階段の踏板１０を接合する廻り階段の施工方法であり、まずセンター柱２０の立設前に建築物の構造材を施工する。そして次に、予め踏板１０の一端側の接合溝２１，２２，２３，２４，２５，２６を形成してなるセンター柱２０を立設し、予め形状加工してなる踏板１０の一端側をセンター柱２０に接合する。センター柱２０の施工は、構造材の施工と同時ではなく構造材の施工後に行うので、構造材施工からある程度時期を空けて、センター柱２０及び踏板１０の施工を含む階段施工や現場への部材搬入をまとめて行うことができ効率的である。また、センター柱２０には予め踏板１０の一端側の接合溝２１，２２，２３，２４，２５，２６が形成されており、踏板１０も予め形状加工されているので、プレカット部材として工場等で加工したものを搬入すれば、施工現場での作業負担が軽減されるとともに、専用の別部材として用意する必要もない。
【００４３】
また、予め踏板１０の他端側の接合溝３１，４１，５１を形成してなる側板３０，４０，５０に、予め形状加工してなる踏板１０の他端側を接合するので、側板３０，４０，５０も含めて階段施工や現場への部材搬入をまとめて行うことができ効率的である。また、側板３０，４０，５０も含めてプレカット部材として工場等で加工したものを搬入すれば、施工現場での作業負担が軽減されるとともに、専用の別部材として用意する必要もない。
【００４４】
また、本実施形態に係る廻り階段の施工用セットは、建築物にセンター柱２０を立設し、センター柱２０に廻り階段の踏板１０を接合する廻り階段の施工用セットであり、予め形状加工されてなる踏板１０と、予め踏板１０の一端側の接合溝２１，２２，２３，２４，２５，２６を形成してなる建築物の造作材であるセンター柱２０と、予め踏板１０の他端側の接合溝３１，４１，５１を形成してなる側板３０，４０，５０とから構成されている。センター柱２０は構造材ではなく造作材であるため、構造材の施工と同時ではなく構造材の施工後に施工することができるので、構造材施工からある程度時期を空けて、センター柱２０、踏板１０及び側板３０，４０，５０の施工を含む階段施工や現場への部材搬入をまとめて行うことができ効率的である。また、センター柱２０には予め踏板１０の一端側の接合溝２１，２２，２３，２４，２５，２６が形成されており、踏板１０及び側板３０，４０，５０も予め形状加工されているので、プレカット部材として工場等で加工したものを搬入すれば、施工現場での作業負担が軽減されるとともに、専用の別部材として用意する必要もない。
【００４５】
このように、本実施形態に係る廻り階段の施工方法及び廻り階段の施工用セットによれば、完全プレカットの部材を用いてセンター柱及び踏板を含む階段施工を同時に行うことが可能である。
【００４６】
また、施工後の廻り階段は、将来リフォームを行う場合にも効果的である。例えば、階段位置を変更するような大掛かりなリフォームを考えた場合、従来の方法では、構造材の柱がセンター柱を兼用している場合が多いので、事前に補強せずにセンター柱を迂闊に撤去してしまうと、住宅の構造に悪影響を及ぼす可能性がある。最悪の場合は耐震性能不足となるが、そこまででなくても、引戸やサッシの開閉がスムースに行かない、隙間風が吹き込む等の不具合が考えられる。また、新しい場所にセンター柱を設置するのも難しいと考えられる。
【００４７】
これに対して、本実施形態に係る廻り階段におけるセンター柱は、そもそも「構造材ではない」ことから、センター柱の撤去や新設に際して、構造上の制約はない。さらに、金具も後付け用を基本としているので、既存の土台・梁間に簡単に後付けすることができる。従って、将来リフォームを行う場合にも、階段の撤去や新設をより自由に行うことができる。
【００４８】
以上、本発明の実施形態に係る廻り階段の施工方法及び廻り階段の施工用セットについて説明したが、本発明は上述した実施の形態に限定されるわけではなく、その他種々の変更が可能である。
【００４９】
上記実施形態では、踏板の他端側に側板を設けたが、ささら桁を設けるようにしてもよい。また、蹴込板は設けなくてもよい。
【００５０】
廻り階段の施工用セットに側板を含めずに、センター柱及び踏板のみを施工用セットとしてもよい。
【００５１】
建築物としては、木造、鉄骨造、ＲＣ造等の各種建築物に適用可能である。また、センター柱や踏板等についても、木質材に限らず、樹脂など他の材料を用いることも可能である。
【符号の説明】
【００５２】
１  柱（構造材）
２  壁
３  梁
４  大引き
５  床下地材
６  フローリング
７  取付用金具
８  取付用金具
９  取付用金具
１０  踏板
１１  踏板
１２  踏板
１３  踏板
１４  踏板
１５  踏板
１６  踏板
２０  センター柱
２１  踏板用接合溝
２２  踏板用接合溝
２３  踏板用接合溝
２４  踏板用接合溝
２５  踏板用接合溝
２６  踏板用接合溝
２７  スリット
２８  スリット
２９  スリット
３０  側板
３１  踏板用接合溝
３２  蹴込板用接合溝
４０  側板
４１  踏板用接合溝
４２  蹴込板用接合溝
５０  側板
５１  踏板用接合溝
５２  蹴込板用接合溝
１００  廻り階段
【図１】
2020147946.tif 000003
【図２】
2020147946.tif 000004
【図３】
2020147946.tif 000005
【図４】
2020147946.tif 000006
【図５】
2020147946.tif 000007
【図６】
2020147946.tif 000008